(57)【要約】【課題】ツーピス型ヘアクリップで髪束を挟んでも、クリップの先端間が完全に閉じるないため、髪がクリップから離脱して髪型を長く保持でない問題を解決する。【解決手段】ヘアークリップ100は、外側の第１クリップ部材200と第３クリップ部材400の間に第２クリップ部材300が位置して３つの部材がヒンジピン600によって枢支連結され、第１クリップ部材200と第２クリップ部材300を閉じ方向に付勢する第１トーションバネ700と、第１クリップ部材200と第３クリップ部材400を閉じ方向に付勢する第２トーションバネ800が枢支部に介装されている。第１クリップ部材200と第２クリップ部材300とによって髪束を挟んだ状態で、第１クリップ部材200と第３クリップ部材400が閉じる動作をして、第１クリップ部材200と第３クリップ部材400の先端間を閉じて、ヘアークリップからの髪の離脱を防止する。【選択図】図３
2009082690.tif 000002
【特許請求の範囲】
【請求項１】
第１クリップ部材(200)、第２クリップ部材(300)及び第３クリップ部材(400)の夫々の基端側をヒンジピン(600)によって回転可能に枢支連結して構成され、
第１クリップ部材(200)は、ヒンジピン(600)を中心に長い方は緩やかな曲線形態のベース片(210)、短い方は支え片(220)となっており、
第２クリップ部材(300)は、ヒンジピン(600)を中心に長い方は、前記第１クリップ部材(200)のベース片(210)に対応する緩やかな曲線形態のクリップ片(310)、短い方はサブ押え片(320)となっており、
第３クリップ部材(400)は、ヒンジピン(600)を中心に長い方は前記第１クリップ部材(200)のベース片(210)に対応する緩やかな曲線形態の髪離脱防止片(410)、短い方はメイン押え片(420)となっており、髪離脱防止片(410)の先端は前記クリップ片(310)及びベース片(210)の先端を越えた長い位置まで延びている。
ヒンジピン(600)には、ベース片(210)とクリップ片(310)の間を閉じる方向に付勢する第１バネ(700)及びベース片(210)と髪離脱防止片(410)との間を閉じる方向に付勢する第２バネ(800)が介装され、
第２クリップ部材(300)のサブ押え片(320)は、第１クリップ部材(200)の支え片(220)と第３クリップ部材(400)のメイン押え片(420)との間に突出しており、支え片(220)とメイン押え片(420)とを閉じるように押圧した際に、該メイン押え片(420)の前記ヒンジピン(600)を中心とする回動途上で該メイン押え片(420)がサブ押え片(320)に当たり、これを押圧する、ヘアークリップ。
【請求項２】
べース片の内面には、長手方向に延びる突条が設けられ、該突条の縁には突条の方向に凸部と凹部が交互に並んで形成されている、請求項１に記載のヘアークリップ。
【請求項３】
ベース片の内面には、ドーム状の突起がベース片の長手方向に並んで形成されている、請求項１又は２に記載のヘアークリップ。
【請求項４】
ベース片の内面には、長手方向に沿う両側に突条が設けられ、該突条の縁には突条の方向に凸部と凹部が交互に並んで形成されている、請求項１乃至３の何れかに記載のヘアークリップ。
【請求項５】
ベース片(210)の内面先端部には、突条(216)の凸部(240)よりも大きく突出した髪離脱防止突起(250)(250)が形成されていて、ベース片(210)とクリップ片(310)との間に挟み込まれた髪が該両片(210)(310)の先端側から離脱することを阻止する、請求項２乃至４の何れかに記載のヘアークリップ。
【請求項６】
ベース片(210)に対応するクリップ片(310)には、長手方向に延びる壁条(312)が設けられ、該壁条の縁には壁条の方向に凸部(314)と凹部(316)が交互に並んで形成されている、請求項１乃至５の何れかに記載のヘアークリップ。
【請求項７】
髪離脱防止片には、ヒンジピン近傍から髪離脱防止片の先端側に延びる開口が設けられ、請求項１乃至６の何れかに記載のヘアークリップ。
【請求項８】
髪離脱防止片(410)の開口(416)は、クリップ片(310)の先端縁からヒンジピン(600)近傍までの略全長に亘って、クリップ片(310)を嵌め入れ可能な大きさに開設されている、請求項７に記載のヘアークリップ。
【請求項９】
髪離脱防止片の内面の長手方向に沿う両側縁には側壁が形成されており、ベース片(210)の少なくとも先端部は該側壁間に侵入可能である、請求項１乃至８の何れかに記載のヘアークリップ。
【請求項１０】
髪離脱防止片の両側壁には、長さ方向の中央部から先端縁に至る範囲で、鋸歯列状の凹凸列が突設され、両凹凸列の夫々最先端の突片は、他の突片よりも高く突出形成されている、請求項１乃至９の何れかに記載のヘアークリップ。
【請求項１１】
第１バネ及び第２バネはトーションバネであり、夫々ヒンジピンに嵌まってヒンジピンの中央部に第１トーションバネ、両端側に２つの第２トーションバネが位置しており、２つの第２トーションバネを形成する金属線は、ブリッジ片によって連続している、請求項１乃至１０の何れかに記載のヘアークリップ。
【請求項１２】
クリップ片及び／又は髪離脱防止片の表面には、装飾模様や飾り物によって装飾が施されている、請求項１乃至１１の何れかに記載のヘアークリップ。
【発明の詳細な説明】
【技術分野】
【０００１】
本発明は、髪を結束するためのヘアークリップに関し、より詳細には、ヘアークリップによって結束された髪の頭皮側に位置するヘアークリップの内側部分と、その反対側の外側部分の先端間が開いたままの状態にならないようにして、結束された髪がヘアークリップから離脱することを防止できる、ヘアークリップに関する。
【背景技術】
【０００２】
一般的に、長めの髪の人は自分のヘアスータイルをより美しく見せたり、髪を簡潔に整えるために、ヘアーゴム、ヘアーピン、ヘアバンド、ヘアークリップ等の髪結束手段を用いている。特に、ヘアークリップは、多様な形態で自分の髪を整えることができるだけではなく、特定のヘアースタイルに限ることなく使用できるので、他の髪結束手段よりも多く使用されている。
【０００３】
ヘアークリップは種々のタイプに分類できるが、代表的なヘアークリップは、髪束を挟んだとき、髪束の頭皮側に位置する第１クリップ部材と、髪束の外側に位置する第２クリップ部材と、２つのクリップ部材を開閉可能に連結するヒンジと、２つのクリップ部材を閉じ方向に付勢するトーションバネを有する。
【０００４】
ヘアークリップは一般的に５〜１０cm程度の長さがあり、一人の頭に、１、２個付けるのが一般的である。
【０００５】
図１は従来の一般的な、ツーピース型ヘアークリップ(10)を示している。
上記ツーピス型ヘアークリップ(10)は、第１クリップ部材(20)と第２クリップ部材(30)の夫々基端側をヒンジピン(40)にて開閉可能に連結し、トーションバネ(50)にて先端間を閉じ方向に付勢して形成される。
第１クリップ部材(20)は、ヒンジピン(40)を中心に先端側がベース片(22)となり、第２クリップ部材(30)はヒンジ(40)を中心に先端側がクリップ片(32)となっており、ベース片(22)とクリップ片(32)によって髪を挟む。
【０００６】
第１クリップ部材(20)及び第２クリップ部材(30)は、互いに平行な一対のヒンジ壁(26)(26)、(36)(36)を有しており、一方のヒンジ壁(36)(36)間に他方のヒンジ壁(26)(26)を嵌め、４つのヒンジ壁(26)(26)(36)(36)をヒンジピン(40)が貫通している。
ヒンジピン(40)を基準にして、第１クリップ部材(20)はベース片(22)の反対側に支え片(24)を有し、第２クリップ部材(30)はクリップ片(32)の反対側に押え片(34)を有している。
【０００７】
前記内側のヒンジ壁(26)(26)間に、ヒンジピン(40)に嵌めたトーションバネ(50)が配備され、ベース片(22)とクリップ片(32)を閉じ方向に付勢している。
ツーピス型ヘアークリップを使用するときは、使用者は支え片(24)と押え片(34)を接近させる様に押さえて、ベース片(22)とクリップ片(32)の間を開いた状態にし、ベース片(22)を髪の頭皮側に押し入れてから、支え片(24)と押え片(34)に対する押圧を開放する。
【０００８】
更に詳しくは、使用者は、髪を結束する前に、一方の手でツーピース型ヘアークリップ(10)を握り、他方の手で、所望量の髪を束ねて掴む。掴んだ髪束Ｘの頭皮側にベース片(22)を差し入れて、髪束の反対側にクリップ片(32)を位置させた後、加圧していた支え片(24)と押え片(34)から手を離す。
髪束Ｘは、ベース片(22)とクリップ片(32)とによって挟まれるが、この挟まれた髪束が邪魔になって、ベース片(22)とクリップ片(32)の先端間は完全に閉じることはなく、開放された状態で髪が結束される。
【発明の開示】
【発明が解決しようとする課題】
【０００９】
上記の如く、ツーピス型ヘアークリップ(10)で髪を結束しても、ベース片(22)とクリップ片(32)の先端間が開いたままであるから、ベース片(22)とクリップ片(32)によって挟み込まれた髪束Ｘの内、ベース片(22)とクリップ片(32)の開き側では髪に対する結束力は弱い。このため、髪束Ｘを挟み込んだ当初のヘアスタイルを維持できない。
【００１０】
ツーピース型ヘアークリップの使用に際し、最初に握った髪束の量に比して、ツーピース型ヘアークリップが小さ過ぎる場合に、上記問題は顕著である。
その問題の根本的な原因は、ベース片(22)を具えた第１クリップ部材(20)と、クリップ片(32)を具えた第２クリップ部材(30)をヒンジピン(40)にて枢支連結している、ツーピース型ヘアークリップの構成そのものにある。
【００１１】
繰り返し述べると、髪の結束時、ベース片(22)とクリップ片(32)の先端間が、結束された髪束Ｘの厚みによって閉じることが出来ず、図１に示す様に開放された状態で止まるから、髪を完全に結束するのは難しくなる。
【００１２】
本発明は、上記ツーピース型ヘアークリップの問題点を解決するため案出されたもので、使用者が髪を結束した際、結束された髪の一部がベース片とクリップ片との間から脱出することを防止するのみならず、結束された状態の髪がほつれることのない、第１クリップ部材、第２クリップ部材、第３クリップ部材からなるスリーピース型のヘアークリップを提供するのが目的である。
【００１３】
同時に本発明の技術は、ヘアークリップの構成がスリーピース型という、新しい形態のデザインを提案するだけではなく、３つのクリップ部材のすべてを、１回の押圧、或いは押圧の開放によって動作させることのできるヘアークリップを提供することを目的とする。
【課題を解決するための手段】
【００１４】
請求項１のヘアークリップ(100)は、第１クリップ部材(200)、第２クリップ部材(300)及び第３クリップ部材(400)の夫々の基端側をヒンジピン(600)によって回転可能に枢支連結して構成され、
第１クリップ部材(200)は、ヒンジピン(600)を中心に長い方は緩やかな曲線形態のベース片(210)、短い方は支え片(220)となっており、
第２クリップ部材(300)は、ヒンジピン(600)を中心に長い方は、前記第１クリップ部材(200)のベース片(210)に対応する緩やかな曲線形態のクリップ片(310)、短い方はサブ押え片(320)となっており、
第３クリップ部材(400)は、ヒンジピン(600)を中心に長い方は前記第１クリップ部材(200)のベース片(210)に対応する緩やかな曲線形態の髪離脱防止片(410)、短い方はメイン押え片(420)となっており、髪離脱防止片(410)の先端は前記クリップ片(310)及びベース片(210)の先端を越えた長い位置まで延びている。
ヒンジピン(600)には、ベース片(210)とクリップ片(310)の間を閉じる方向に付勢する第１バネ(700)及び、ベース片(210)と髪離脱防止片(410)との間を閉じる方向に付勢する第２バネ(800)が介装され、
第２クリップ部材(300)のサブ押え片(320)は、第１クリップ部材(200)の支え片(220)と第３クリップ部材(400)のメイン押え片(420)との間に突出しており、支え片(220)とメイン押え片(420)とを閉じるように押圧した際に、該メイン押え片(420)の前記ヒンジピン(600)を中心とする回動途上で該メイン押え片(420)がサブ押え片(320)に当たり、これを押圧する。
【００１５】
請求項２は、請求項１のヘアークリップ(100)において、ベース片(210)の内面には、長手方向に延びる突条(216)が設けられ、該突条の縁には突条の方向に凸部(240)と凹部(241)が交互に並んで形成されている。
【００１６】
請求項３は、請求項１又は２に記載のヘアークリップ(100)において、ベース片(210)の内面には、ドーム状の複数の突起(214)がベース片(210)の長手方向に並んで形成されている。
【００１７】
請求項４は、請求項１乃至３の何れかに記載のヘアークリップ(100)において、ベース片(210)内面には、長手方向に沿う両側縁に突条(216)が設けられ、両突条(216)の縁には突条の方向に凸部(240)と凹部(241)が交互に並んで形成されている。
【００１８】
請求項５は、請求項２乃至４の何れかに記載のヘアークリップ(100)において、ベース片(210)の内面先端部には、突条(216)の凸部(240)よりも大きく突出した髪離脱防止突起(250)(250)が形成されていて、ベース片(210)とクリップ片(310)との間に挟み込まれた髪が該両片(210)(310)の先端側から離脱することを阻止する。
【００１９】
請求項６は、請求項１乃至５の何れかに記載のヘアークリップ(100)において、ベース片(210)に対応するクリップ片(310)には、長手方向に延びる壁条(312)が設けられ、該壁条の縁には壁条の方向に凸部(314)と凹部(316)が交互に並んで形成されている。
【００２０】
請求項７は、請求項１乃至６の何れかに記載のヘアークリップ(100)において、髪離脱防止片(410)には、ヒンジピン(600)近傍から髪離脱防止片(410)の先端側に延びる開口(416)が設けられている。
【００２１】
請求項８は、請求項７に記載のヘアークリップ(100)において、髪離脱防止片(410)の開口(416)は、クリップ片(310)の先端縁からヒンジピン(600)近傍までの略全長に亘って、クリップ片(310)を嵌め入れ可能な大きさに開設されている。
【００２２】
請求項９は、請求項１乃至８の何れかに記載のヘアークリップ(100)において、髪離脱防止片(410)の内面の長手方向に沿う両側縁には側壁(412)が形成されており、ベース片(210)の少なくとも先端部は該側壁(412)間に侵入可能である、請求項１乃至８の何れかに記載のヘアークリップ。
【００２３】
請求項１０は、請求項９に記載のヘアークリップ(100)において、髪離脱防止片(410)の両側壁(412)には、長さ方向の中央部から先端縁に至る範囲には、鋸歯列状の凹凸列(414)が突設され、両凹凸列(414)の夫々最先端の凸片(450)は、他の突片よりも高く突出形成されている。
【００２４】
請求項１１は、請求項１乃至１０の何れかに記載のヘアークリップ(100)において、第１バネ(700)及び第２バネ(800)はトーションバネであり、夫々ヒンジピン(600)に嵌まって該ヒンジピンの中央部に第１トーションバネ(700)、両端側に２つの第２トーションバネ(800)が位置しており、２つの第２トーションバネ(800)を形成する金属線は、ブリッジ片(820)によって連続している。
【００２５】
請求項１２は、請求項１乃至１１の何れかに記載のヘアークリップにおいて、クリップ片(310)及び／又は髪離脱防止片(410)の表面には、装飾模様や飾り物によって装飾が施されている。
【発明の効果】
【００２６】
請求項１のヘアークリップ(100)は、使用前の状態では、第１バネ(700)によって第１クリップ部材(200)のベース片(210)と第２クリップ部材(300)の間は閉じ状態であり、且つ、第２バネ(800)によって、第１クリップ部材(200)のベース片(210)と第３クリップ部材(400)の髪離脱防止片(410)の間も閉じ状態に保持されている。
【００２７】
第１クリップ部材(200)の支え片(220)と第３クリップ部材(400)のメイン押え片(420)を互いに接近する方向に押圧すると、メイン押え片(420)が第２クリップ部材(300)のサブ押え片(320)に当たるまで、ヒンジピン(600)を中心に第２バネ(800)に抗して、第１クリップ部材(200)と第２クリップ部材(300)が一体的に第３クリップ部材(400)に対して開き方向に回転する。
メイン押え片(420)が第２クリップ部材(300)のサブ押え片(320)に当たってから、更に支え片(220)とメイン押え片(420)を互いに接近する方向に押圧すると、メイン押え片(420)がサブ押え片(320)を支え片(220)側に押して、第１クリップ部材(200)のベース片(210)と第２クリップ部材(300)のクリップ片(310)との間が開く。
【００２８】
ヘアークリップ(100)を用いるには、一方の手でヘアークリップ(100)を上記状態に保持したまま、他方の手で、所望量の髪を束ねて掴む。掴んだ髪束の頭皮側にヘアークリップ(100)のベース片(210)を差し入れて、髪束の反対側にクリップ片(310)を位置させた後、加圧していたメイン押え片(420)と支え片(220)から手を離す。
第１バネ(700)の付勢力によって、ベース片(210)とクリップ片(310)が閉じて髪束が挟まれ、この状態のまま、第２バネ(800)の付勢力によってベース片(210)とクリップ片(310)は一体的に髪離脱防止片(410)側に回転し、ベース片(210)の先端と髪離脱防止片(410)の先端が閉じる。
従って、ベース片(210)とクリップ片(310)の間に挟まれた髪束によって、ベース片(210)とクリップ片(310)の先端間が開いていても、ベース片(210)と髪離脱防止片(410)の先端間は閉じているから、髪束を確実にヘアークリップ(100)で保持でき、ヘアークリップ(100)で束ねた状態の髪型を保つことができる。
【００２９】
請求項２のヘアークリップは、ベース片(210)の内面の突条(216)上に交互に形成した凸部(240)と凹部(241)によって、髪に対するグリップ力が増して、より確実に髪を保持できる。
【００３０】
請求項３のヘアークリップは、ベース片(210)の内面のドーム状の複数の突起(214)によって、髪に対するグリップ力が増して、より確実に髪を保持できる。
【００３１】
請求項４のヘアークリップは、ベース片(210)の両側縁に形成された突条(216)上の凸部(314)と凹部(316)によって、髪に対するグリップ力が増して、より確実に髪を保持できる。
【００３２】
請求項５のヘアークリップは、ベース片(210)の内面先端部には、突条(216)上の他の凸部よりも大型の髪離脱防止突起(250)(250)を有しているから、ベース片(210)とクリップ片(310)との間に挟み込まれた髪が、該両片(210)(310)の先端側から離脱することを一層確実に防止できる。
【００３３】
請求項６のヘアークリップは、クリップ片(310)に設けた突条(312)上の凸部(314)と凹部(316)が髪に対するグリップ力が増して、より確実に髪を保持できる。
【００３４】
請求項７のヘアークリップは、髪離脱防止片(410)に設けた開口(416)によって、軽量化を計ることができる。又、開口(416)がデザインに変化を与えることができる。
【００３５】
請求項８のヘアークリップは、髪離脱防止片(410)の開口(416)をクリップ片(310)を嵌めて塞ぐことができるから、スッキリとしたデザインに仕上がる。
【００３６】
請求項９のヘアークリップは、第１クリップ部材(200)のベース片(210)と第２クリップ部材(300)のクリップ片(310)によって髪を挟んだ状態で、クリップ片(310)の先端が第３クリップ部材(400)の髪離脱防止片(410)の両側壁(412)の間に嵌まり込むので、髪離脱防止片(410)とベース片(210)の先端間が確実に閉じることができ、髪がヘアークリップ(100)から離脱することを一層効果的に防止できる。
【００３７】
請求項１０のヘアークリップは、髪離脱防止片(410)の両側壁(412)上に形成された鋸歯列状の凹凸列(414)によって、髪に対するグリップ力が増して、より確実に髪を保持できる。
又、髪を挟んだベース片(210)とクリップ片(310)の先端間が開いていても、その状態のまま、クリップ片(310)とベース片(210)が髪離脱防止片(410)の湾曲内へ入り込んだとき、髪離脱防止片(410)の突起片列(414)先端の凸片(450)は他の突片より大きく形成されているから、ベース片(210)とクリップ片(310)の先端間の開きを大きな凸片(450)が塞いでしまい、ベース片(210)とクリップ片(310)の先端間から髪が脱出すること一層確実に阻止できる。
【００３８】
請求項１１のヘアークリップは、２つの第２トーションバネ(800)は一体に繋がっているから、第２トーションバネの紛失防止に寄与し、又、組込みが容易となる。
更に、ベース片(210)とクリップ片(310)の間が閉じる方向に付勢する第１トーションバネ(700)の両側に、ベース片(210)と髪離脱防止片(410)との間が閉じる方向に付勢する２つの第２バネ(800)が介装されているから、ヘアークリップの幅方向に偏りなくバネの付勢力が作用して、該付勢力に抗してのヘアークリップの開閉操作を安定して行うことができる。
【００３９】
請求項１２のヘアークリップは、クリップ片(310)及び／又は髪離脱防止片(410)の表面装飾模様や飾り物によって、美観を向上できる。又、使用者のヘアークリップの意匠の好みの選択幅を広げることができる。
【発明を実施するための最良の形態】
【００４０】
以下、図面を参照しながら本発明に従うヘアークリップに関して詳細に説明する。
図２は本発明のヘアークリップの一例の斜視図、図３は分解斜視図、図４は正面図、図５は右側面図である。
【００４１】
図２乃至図５に示す様に、ヘアークリップ(100)は、ベース片(210)を有する第１クリップ部材(200)、クリップ片(310)を有する第２クリップ部材(300)、第２クリップ部材(300)と所定間隔離れた位置に、第１、第２クリップ(200)、(300)と共通のヒンジピン(600)によって枢支連結され髪離脱防止片(410)を有する第３クリップ部材(400)の３つのクリップ部材(200)(300)(400)を有する。
ヒンジピン(600)上には、３つのクリップ部材(200)(300)(400)が開閉動作される様に、中央部に第１バネ(700)、その両側に第２バネ(800)のバネが配備されている。
実施例では第１、第２のバネは何れもトーションバネである。
【００４２】
図３に示す、３つのクリップ部材(200)(300)(400)と、第１、第２トーションバネ(700)(800)によって、図２示す、スリーピース型のヘアークリップ(100)が完成する。
このヘアークリップ(100)は、図１１に示す如く、第１クリップ部材(200)のベース片(210)と第２クリップ部材(300)のクリップ片(310)とによってが髪を挟んで、ベース片(210)とクリップ片(310)の先端間が少し開いていても、第３クリップ部材(400)の髪離脱防止片(410)及び該髪離脱防止片(410)先端の大きな凸片(450)によって、その開きが塞がれる状態になる。
【００４３】
説明を補足すると、第１クリップ部材(200)のベース片(210)と第２クリップ部材(300)のクリップ片(310)、第３クリップ部材(400)の髪離脱防止片(410)が開閉動作されることによって形成される３面の内側には、髪結束空間(110)が生じる。結束される髪束の一方の側にベース片(210)、他方の側にクリップ片(310)と髪離脱防止片(410)が位置して、これら３つのクリップ片(210)(310)(410)がバネ付勢されて、髪結束空間(110)を閉まった状態を保ことができる。
これによって、従来のツーピス型のヘアークリップで髪束を挟んだときに、ヘアークリップの先端間が開いてしまう欠点が解消され、装着が簡便であるというツーピース型ヘアークリップの利点を損なうことなく、髪束を巻いて結束するヘアーバンドの様に、髪の結束状態を確実に保持できる効果を兼ね備えることができる。
【００４４】
以下に、本発明のスリーピース型ヘアークリップ(100)の各構成品について詳細に説明する。
図６ａ乃至図６ｃは、第１クリップ部材(200)の正面図、図６ｂはその平面図、図６ｃは図６ａのＡ−Ａ線断面図である。
【００４５】
図６ａ乃至図６ｃに示す如く、第１クリップ部材(200)は、前記ヒンジピン(600)を中心に一方にはベース片(210)、他方には支え片(220)が形成される。
ベース片(210)は、自身の幅長さ及び支え片(220)の長さに較べて長く形成されている。
支え片(220)は、ヘアークリップ(100)使用者の親指或いは人差し指の、指先の腹部程度の面積を有する。
【００４６】
前記した第１クリップ部材(200)のべース片(210)と支え片(220)との問のヒンジ部(230)の両側には上向に一対のヒンジ壁(232)が突設される。該両ヒンジ壁(232)は、後記する第２クリップ部材(300)に形成される一対のヒンジ壁(332)を挟む様に位置している。
【００４７】
第１クリップ部材(200)の両ヒンジ壁(232)の外側には後記する第３クリップ部材(400)の一対のヒンジ壁(432)が位置する。
第１クリップ部材(200)の前記支え片(220)の外周部は、第３クリップ部材(400)のヒンジ壁(432)の円弧縁形状に沿う円弧縁(236)を持つ凸段部となっている。
第１クリップ部材(200)の両ヒンジ壁(232)にはピン孔(234)が形成される。
第１クリップ部材(200)のベース片(210)は、先端側へ細くなった流線型を呈し、且つ、結束される髪の下側、即ち、頭皮側に位置した状態で、使用者がより自然な着用感を得られるように、頭部の形状に対応して、なだらかかに湾曲している。
【００４８】
第１クリップ部材(200)の内面(第２クリップ部材(300)側の面)には、図６ｂに示す如く、幅中央部において長さ方向の略全長に亘って凸ライン条(212)が形成され、該凸ライン条(212)上に、所定間隔を存して多数の突起(214)が凸ライン条(212)の長手方向に並んで突設されている。
図６ａ乃至園６ｃに示す如く、突起(214)の先端はドーム状に形成されている。
ベース片(210)の内面は、上記凸ライン条(212)と凸ライン条(212)上の突起(214)によって凹凸面に形成されている。
【００４９】
第１クリップ部材(200)の長手方向に沿う両側縁には、縁枠となる突条(216)が第２クリップ部材(300)側に向けて形成されている。該突条(216)と前記凸ライン条(212)との間は陥没部(218)となり、第１クリップ部材(200)の第２クリップ部材(300)の面の凹凸は更に顕著に表れる。
第１クリップ部材(200)の支え片(220)も、外周部の枠部分(222)より内側部分(224)は陥没している様に形成される。
【００５０】
また、前述した第１クリップ部材(200)の両突条(216)の第２クリップ部材(300)側の縁部に、凸部(240)と凹部(241)が、突条(216)の方向に交互に形成されている。
【００５１】
ヘアークリップ(100)を髪に装着したとき、上記凸部(240)と凹部(241)を含む突条(216)は、第２クリップ部材(300)及び第３クリップ部材(400)と協働して髪を挟み、隣り合う凸部(240)(240)間に髪が食い込む。
【００５２】
第１クリップ部材(200)のべース片(210)の先端には髪離脱防止突起(250)が形成される。該髪離脱防止突起(250)はべース片(210)の前記突条(216)上の凸部(240)よりも大型に形成され、第１クリップ部材(200)と第３クリップ部材(400)との問に挟んだ髪が離脱されないようにする。
【００５３】
図７ａ乃至図７ｃは第２クリップ部材(300)を示しており、図７ａは正面図、図７ｂは平面図、図７ｃは  図7ａのＢ−Ｂ線断面図である。
【００５４】
第２クリップ部材(300)は、ヒンジ部(330)を基準として一方には、前記第１クリップ部材(200)のべース片(210)と相互動作されるためのクリップ片(310)が長く形成され、他方には前記支え片(220)と対向して相互動作されるためのサブ押え片(320)が形成されている。
クリップ片(310)は、前記第１クリップ部材(200)のベース片(210)に対応して緩やかに湾曲している。
【００５５】
第２クリップ部材(300)のサブ押え片(320)は、前記第１クリップ部材(200)の支え片(220)より幅狭に形成され、ヒンジ部(330)を起点として支え片(220)に対して離れる方向に屈曲している。クリップ片(310)はヒンジ部(330)及びサブ押え片(320)の幅と略同一幅を持ち、前記ベース片(210)より、該ベース片(210)先端の髪離脱防止突起(250)分だけ短く形成されている。
上記ヒンジ部(330)には、前記第１クリップ部材(200)の一対のヒンジ壁(232)の内側に位置する一対のヒンジ壁(332)が突設され、両ヒンジ壁(332)にヒンジピン(600)が嵌まるピン孔(334)が開設されている。
【００５６】
第２クリップ部材(300)のクリップ片(310)には、長手方向に沿う両側縁の全長に亘って前記第１クリップ部材(200)のベース片(210)側に壁条(312)が形成される。
両壁条(312)は、ベース片(210)の両突条(216)の内側に位置する。
両壁条(312)には、壁条(312)の長さ方向に凸部(314)と凹部(316)が交互に並んでいる。該凸部(314)と凹部(316)は、髪束のより自然な結束効果を得るために、比較的なだらかな三角形状の山と谷を呈している。
【００５７】
図８ａ乃至図８ｃは、第３クリップ部材(400)を示しており、図８ａは正面図、図８ｂ  は平面図、図８ｃは園８ａのＣ−Ｃ線断面図である。
【００５８】
第３クリップ部材(400)は第２クリップ部材(300)をほぼ覆い隠すことのできる大きさであり、ヒンジ部(430)から一方には、ベース片(210)より長く延びた髪離脱防止片(410)が形成され、他方にはメイン押え片(420)が形成されている。
メイン押え片(420)は、第２クリップ部材(300)のサブ押え片(320)よりも大きく、第１クリップ部材(200)の支え片(220)と同程度の大きさである。
サブ押え片(320)は、メイン押え片(420)と支え片(220)とに余裕のある状態に挟まれているが、メイン押え片(420)側寄りに位置している。
【００５９】
第３クリップ部材(400)の髪離脱防止片(410)は、前記第１クリップ部材(200)のベース片(210)よりも長く形成され、第１クリップ部材(200)に対応して緩やかに湾曲している。
第３クリップ部材(400)の長手方向に沿う両側縁には全長に亘って第２クリップ部材(300)側に側壁(412)が突設される。該側壁(412)の突設高さは、前記第２クリップ部材(300)のクリップ片(310)の全体或いは一部を収容できる程度の高さとする。
【００６０】
髪離脱防止片(410)の両側壁(412)には長さ方向の略中央部から先端縁に至る範囲で、鋸歯列状の凹凸列(414)が形成され、各三角状の突起の先端は内側をヒンジ部(430)側に傾く様に形成されているため、結束された髪がより安定して保持される。つまり、鋸歯列状の凹凸列(414)の各凸片間に髪が噛み込むので髪の離脱が防止される。
【００６１】
髪離脱防止片(410)に形成された、凹凸列(414)の最先端に位置する凸片(450)は周辺の他の突出片(414)より、大型に形成される。
この大型凸片(450)には、両側壁(412)は、第１クリップ部材(200)のベース片(210)先端からはみ出す斧形状を呈し、ベース片(210)とクリップ片(310)の先端間で発生する空間を閉じる役割を成す。
【００６２】
髪離脱防止片(410)の両側壁(412)間にて髪離脱防止片(410)の長手方向に延びる帯状の開口(416)が貫通開設される。該開口(416)の全長は、第２クリップ部材(300)のクリップ片(310)の先端からヒンジ部(430)近傍までの長さより少し大であり、開口(416)の幅長さは、クリップ片(310)の幅長さより僅か大である。
従って、ヘアークリップ(100)を上から見ると、第３クリップ部材(400)の開口(416)を透して第２クリップ部材(300)のクリップ片(310)の大部分が見える。
【００６３】
第３クリップ部材(400)のメイン押え片(420)は、前記第２クリップ部材(300)のサブ押え片(320)と同様にして、ヒンジピン(600)付近から上向きに傾いて形成される。
第３クリップ部材(400)の前記両側壁(412)に連続して形成されたヒンジ壁(432)にはピン孔(434)が開設され、該両ヒンジ壁(432)は前記第１クリップ部材(200)の両ヒンジ壁(232)の外側に被さっている。
【００６４】
図９は、ヘアークリップ(100)の長手方向に沿う面での断面図である。
前記した、第１クリップ部材(200)、第２クリップ部材(300)及び第３クリップ部材(400)を下記の様に組み立てて、図示したヘアークリップ(100)が完成する。
【００６５】
第１クリップ部材(200)、第２クリップ部材(300)及び第３クリップ部材(400)の３つの部材をヒンジピン(600)で結合させる。
ヒンジピン(600)を、各クリップ部材のヒンジ壁(432)(232)(332)のピン孔(434)(234)(334)に挿通する前に、第２クリップ部材(300)の両ヒンジ壁(332)間に第１トーションバネ(700)を配置する。又、第１クリップ部材(200)の両ヒンジ壁(232)と第３クリップ部材(400)の両ヒンジ壁(432)との間に、夫々第２トーションバネ(800)を配置しておき、前記ヒンジ壁(432)(232)(332)のピン孔(434)(234)(334)にヒンジピン(600)を挿通する際に、各トーションバネ(700)(800)のコイル部分(710)(810)にもヒンジピン(600)を貫通させる。
ヒンジピン(600)は一端の頭部と他端にカシメ固定した抜止め片(610)によって、抜け止めが計られる。
【００６６】
第１トーションバネ(700)は、コイル部分(710)の両端から突出した直線部(720)が、第１クリップ部材(200)の支え片(220)と第２クリップ部材(300)のサブ押え片(320)の内面に当たって両片(220)(320)を離間する方向に付勢する。従って、第１クリップ部材(200)のベース片(210)と第２クリップ部材(300)のクリップ片(310)は互いに接近する方向に付勢され、ベース片(210)の陥没部(218)にクリップ片(310)の凸部(314)が当たるまで閉じる。
【００６７】
第２トーションバネ(800)は、コイル部(810)の両端から突出した直線部(830)が、第１クリップ部材(200)の支え片(220)と第３クリップ部材(400)のメイン押え片(420)の内面に当たって両片(220)(420)を互いに離間する方向に付勢する。従って、第１クリップ部材(200)のベース片(210)と第３クリップ部材(400)の髪離脱防止片(410)は互いに接近する方向に付勢され、ベース片(210)の先端が髪離脱防止片(410)の湾曲内面に当たるまで閉じる。
実施例では、２つの第２トーションバネ(800)は、夫々の内側の直線部(830)(830)が略コ字状のブリッジ片(820)で一体に繋がっている。
【００６８】
ベース片(210)と髪離脱防止片(410)の閉じ状態において、第２クリップ部材(300)クリップ片(310)の端は、髪離脱防止片(410)の開口(416)に侵入する。クリップ片(310)の湾曲を髪離脱防止片(410)の湾曲に一致させておけば、クリップ片(310)の略全体が開口(416)に嵌り込んで開口(416)を塞ぐ様にすることができる。
【００６９】
第１クリップ部材(200)と第２クリップ部材(300)及び第３クリップ部材(400)が共通のヒンジピン(600)で結合されていても、第１クリップ部材(200)に対して第２クリップ部材(300)は第１トーションバネ(700)で付勢され、第１クリップ部材(200)に対して第３クリップ部材(400)は第２トーションバネ(800)によって付勢されているから、第１クリップ部材(200)と第２クリップ部材(300)の開閉動作と、第１クリップ部材(200)と第３クリップ部材(400)の開閉動作が、時間をずらして行うことができる。
【００７０】
具体的には、ヘアークリップ(100)の使用者が、第１クリップ部材(200)と第３クリップ部材(400)の、支え片(220)とメイン押え片(420)を互いに接近する方向に押圧することによって、ベース片(210)と髪離脱防止片(410)の間が少し開く、１次動作が成される。
【００７１】
次に、メイン押え片(420)に対する押圧を持続することによって、メイン押え片(420)が第２クリップ部材(300)のサブ押え片(320)を支え片(220)側へ押圧する。これによって、第１クリップ部材(200)のベース片(210)と第２クリップ部材(300)のクリップ片(310)との間が開く、２次動作が成される。
【００７２】
前記の如く、メイン押え片(420)と支え片(220)が互いに接近する様に加圧して力を解除すると、先ず前記２次動作の逆の動作が行われる。即ち、第１トーションバネ(700)と第２トーションバネ(800)が元の状態に復帰しょうとして、第１クリップ部材(200)のベース片(210)が第２クリップ部材(300)のクリップ片(310)側へ接近して、両者の間に嵌め入れられた髪束を結束する。
髪が結束されると前記１次動作の逆の動作が行われ、ベース片(210)とクリップ片(310)で髪を結束したまま、ベース片(210)とクリップ片(310)は一体的に髪離脱防止片(410)側へ回転移動、即ち、髪離脱防止片(410)の両側壁(412)間に侵入する方向に回転する。
【００７３】
結局は、第１クリップ部材(200)のベース片(210)、２クリップ部材(300)のクリップ片(310)及び第３クリップ部材(400)の髪離脱防止片(410)の組合せによって生じる結束空間(110)は閉まる状態になる。つまり、第１クリップ部材(200)、第２クリップ部材(300)及び第３クリップ部材(400)の３つの部材(スリーピース)が向かい合って、図１１に示す如く、結束空間(110)が閉じた状態になって、結束された髪がヘアークリップ(100)から離脱されることなく、整った髪の結束状態を保つことができる。
【００７４】
図１２は、本発明のヘアークリップの他の実施例を示している。
該ヘアークリップ(100)は、使用時に髪束の頭皮側とは反対側に位置する第２クリップ部材(300)のクリップ片(310)表面或いは第３クリップ部材(400)の髪の離脱防止片(410)の表面等に、図１２に示されている様な同じ模様(900)の列が形成される。模様(900)は、ステッカ貼付け、印刷、陽刻、陰刻、象嵌等によって施すことができる。
更に、ヘアークリップ(100)に、立体的な装飾物を取り付けることも出来る。
【００７５】
本発明は、上記実施例に限らず特許請求の範囲に記載の範囲で種々の変形が可能である。
【図面の簡単な説明】
【００７６】
【図１】従来の一般的なヘアークリップの使用状態の斜視図である。
【図２】本発明のヘアークリップの斜視図である。
【図３】本発明のヘアークリップの分解斜視図である。
【図４】本発明のヘアークリップの正面図である。
【図５】本発明のヘアークリップの右側面図である。
【図６】ａ図は第１クリップ部材の正面図、ｂ図は第１クリップ部材の平面図、ｃ図はａ図のＡ−Ａ線断面図である。
【図７】ａ図は第２クリップ部材の正面図、ｂ図は第２クリップ部材の平面図、ｃ図はａ図のＢ−Ｂ線に沿う断面図である。
【図８】ａ図は第３クリップ部材の正面図、ｂ図は第３クリップ部材の平面図、ｃ図はａ図のＣ−Ｃ線に沿う断面図である。
【図９】本発明のヘアークリップの長手方向に沿う面での断面図である。
【図１０】ａ図は一次動作完了時のヘアークリップの断面図、ｂ図は２次動作完了時のヘアークリップの断面図である。
【図１１】髪束を挟んだ状態のヘアークリップの断面図である。
【図１２】装飾を施した他の実施例のヘアークリップの正面図である。
【符号の説明】
【００７７】
100  ヘアークリップ
200  第１クリップ部材
210  ベース片
220  支え片
300  第２クリップ部材
310  クリップ片
320  サブ押え片
400  第３クリップ部材
410  髪離脱防止片
420  メイン押え片
600  ヒンジピン
700  第１トーションバネ
800  第２トーションバネ
【図１】
2009082690.tif 000003
【図２】
2009082690.tif 000004
【図３】
2009082690.tif 000005
【図４】
2009082690.tif 000006
【図５】
2009082690.tif 000007
【図６】
2009082690.tif 000008
【図７】
2009082690.tif 000009
【図８】
2009082690.tif 000010
【図９】
2009082690.tif 000011
【図１０】
2009082690.tif 000012
【図１１】
2009082690.tif 000013
【図１２】
2009082690.tif 000014